(57)【特許請求の範囲】
【請求項１】
空気を浄化する空気浄化手段（20）を備えた空気浄化装置であって、
空気中の水分を捕捉する水捕捉手段（30）と、
上記水捕捉手段（30）で捕捉した水が回収される水容器（41）と、
上記水捕捉手段（30）で捕捉した水中に溶存する臭気成分を分解する水浄化手段（50）とを備え、
上記水浄化手段（50）は、ストリーマ放電を行うことで上記臭気成分を分解する活性種を発生する放電部（51）と、上記放電部（51）のストリーマ放電によって生成した活性種を含む空気を上記水タンク（41）の水中内へ供給するための導入流路（60）とを有していることを特徴とする空気浄化装置。
【請求項２】
請求項１において、
上記空気浄化手段（20）配置されるとともにファン（17）によって搬送される空気が流れる空気通路（14）を内部に形成するケーシング（11）を備え、
上記導入流路（60）は、上記空気通路（14）を流れる空気の一部が分岐して導入されるように構成されていることを特徴とする空気浄化装置。
【請求項３】
請求項１又は２において、
上記水捕捉手段（30）は、空気中の水分を吸着する吸着部材（31）と、該吸着部材（31）を加熱して吸着部材（31）から空気中へ水分を放出させる加熱部（34）と、吸着部材（31）から水分が放出された空気を冷却して凝縮水を生成させる凝縮部（35c）とを有し、
上記水浄化手段（50）は、上記凝縮水中に溶存する臭気成分を分解するように構成されていることを特徴とする空気浄化装置。
【発明の詳細な説明】
【技術分野】
【０００１】
本発明は、空気を浄化する空気浄化装置に関し、特に空気浄化能力の向上対策に係るものである。
【背景技術】
【０００２】
従来より、住居内の室内空気や、厨房からの排ガスを浄化する空気浄化装置が知られている。
【０００３】
例えば特許文献１に開示の空気浄化装置は、ケーシング内の空気通路に、プレフィルタ、イオン化部、静電フィルタ、ストリーマ放電部、及び触媒フィルタが順に設けられている。
【０００４】
空気通路に流入した空気は、プレフィルタで粗大な集塵が捕集された後、イオン化部を流れる。イオン化部では、コロナ放電によって空気中の塵埃が所定の電荷に帯電される。帯電した塵埃は、静電フィルタに電気的に誘引されて捕集される。更にストリーマ放電部では、対となる電極の間でストリーマ放電が行われる。このストリーマ放電に伴って、空気中では活性種（ラジカル、オゾン、高速電子等）が発生する。空気中の臭気成分は、活性種によって酸化分解される。その後、触媒フィルタでは、空気中の臭気成分が吸着及び酸化分解される。以上のようにして浄化された空気は、空気通路を流出して室内等へ供給される。
【特許文献１】特開２００４−３２９６３９号公報
【発明の開示】
【発明が解決しようとする課題】
【０００５】
空気浄化装置で処理される空気中には、親水性の臭気成分が含まれることがある。ところが、親水性の臭気成分は、例えば活性炭等の吸着部材で十分に吸着除去することができない。従って、このような親水性の臭気成分を効率良く除去できる空気浄化装置が望まれる。
【０００６】
本発明は、かかる点に鑑みてなされたものであり、その目的は、親水性の臭気成分を確実に除去でき、空気浄化能力の高い空気浄化装置を提案することである。
【課題を解決するための手段】
【０００７】
第１の発明は、空気を浄化する空気浄化手段（20）を備えた空気浄化装置を前提としている。そして、この空気浄化装置は、空気中の水分を捕捉する水捕捉手段（30）と、水捕捉手段（30）で捕捉した水が回収される水容器（41）と、水捕捉手段（30）で捕捉した水中に溶存する臭気成分を分解する水浄化手段（50）とを備え、水浄化手段（50）は、ストリーマ放電を行うことで上記臭気成分を分解する活性種を発生する放電部（51）と、放電部（51）のストリーマ放電によって生成した活性種を含む空気を上記水タンク（41）の水中内へ供給するための導入流路（60）とを有していることを特徴とする。なお、ここでいう臭気成分とは、人間の嗅覚で感じとれる臭気物質だけでなく、人体に有害な成分である有害物質も含む意味である。
【０００８】
第１の発明の空気浄化装置には、空気浄化手段（20）が設けられ、この空気浄化手段（20）によって空気が浄化される。更に、本発明の空気浄化装置には、水捕捉手段（30）が設けられる。水捕捉手段（30）は、空気中に含まれる水分を捕捉する。水捕捉手段（30）に水が捕捉されると、空気中に含まれる臭気成分（特に親水性の臭気成分）が水中に溶解／吸収される。このようにして水中に溶存した臭気成分は、水浄化手段（50）によって分解／除去される。
【０００９】
第１の発明は、上記水浄化手段（50）は、放電を行うことで上記臭気成分を分解する活性種を発生する放電部（51）を有している。
【００１０】
第１の発明の空気浄化装置の水浄化手段（50）には、放電部（51）が設けられる。放電部（51）では、電極の間で所定の放電が行われることで、活性種（ラジカル、オゾン、高速電子、励起分子等）が生成される。水捕捉手段（30）で捕捉された水に溶存した臭気成分は、上記活性種と反応して酸化分解される。
【００１１】
第１の発明では、水捕捉手段（30）で捕捉された水が、水容器（41）内に回収される。その結果、水容器（41）内に回収された水中には、多量の臭気成分が溶存することになる。水浄化手段（50）は、このようにして水容器（41）内の水中に溶存した臭気成分を分解して除去する。
【００１２】
第２の発明は、第１の発明において、上記空気浄化手段（20）配置されるとともにファン（17）によって搬送される空気が流れる空気通路（14）を内部に形成するケーシング（11）を備え、上記導入流路（60）は、上記空気通路（14）を流れる空気の一部が分岐して導入されるように構成されていることを特徴とするものである。
【００１３】
第３の発明は、第１又は第２の発明の空気浄化装置において、上記水捕捉手段（30）は、空気中の水分を吸着する吸着部材（31）と、該吸着部材（31）を加熱して吸着部材（31）から空気中へ水分を放出させる加熱部（34）と、吸着部材（31）から水分が放出された空気を冷却して凝縮水を生成させる凝縮部（35c）とを有し、上記水浄化手段（50）は、上記凝縮水中に溶存する臭気成分を分解するように構成されていることを特徴とするものである。
【００１４】
第３の発明の水捕捉手段（30）には、吸着部材（31）と加熱部（34）と凝縮部（35c）とが設けられる。空気中の水分は、吸着部材（31）に吸着される。この際には、空気中に含まれる臭気成分も吸着部材（31）に吸着される。また、空気中の臭気成分は、吸着部材（31）に吸着された水分に溶解／吸収される。また、吸着部材（31）が加熱部（34）に加熱されると、吸着部材（31）からは水分や臭気成分が脱離し、これらの水分が臭気成分と共に空気中へ放出される。更に、凝縮部（35c）では、このようにして水分や臭気成分が放出された空気が冷却される。その結果、凝縮水が生成されると共に、臭気成分が凝縮水に溶解／吸収される。以上のようにして、凝縮水中には、空気中に含まれていた臭気成分が高濃度に溶存することになる。凝縮水中の臭気成分は、水浄化手段（50）によって分解／除去される。
【発明の効果】
【００１５】
本発明では、空気浄化手段（20）による空気の浄化に加えて、水捕捉手段（30）で空気中の水分を捕捉すると共に、捕捉された水中に溶解／吸収された臭気成分を水浄化手段（50）で分解／除去するようにしている。即ち、本発明では、空気浄化手段（20）による臭気成分の浄化と、水浄化手段（50）による臭気成分の浄化との双方を行うようにしている。従って、この空気浄化装置の空気浄化効率を向上できる。特に、水浄化手段（50）では、水中に溶解し易い親水性の臭気成分を選択的に除去することができる。また、このように水捕捉手段（30）で捕捉した水を浄化することで、この水から臭気成分が再び遊離してしまうことを回避でき、更にはこの水を系外（例えば下水道）等へ排出しても、系外の水質汚濁負荷を抑えることができる。また、上記水捕捉手段（30）により空気中の水分を捕捉することで、この空気の除湿を行うこともできる。従って、この空気浄化装置に空気の除湿機能を付与することができる。
【００１６】
また、水浄化手段（50）で発生させた活性種を利用することで、捕捉された水中に含まれる臭気成分を効果的に分解して除去できる。
【００１７】
また、水捕捉手段（30）で捕捉した水分を水容器（41）に回収し、この水中に溶存した臭気成分を水浄化手段（50）で分解するようにしている。従って、水容器（41）内の水中で高濃度となった臭気成分を効率良く分解でき、この空気浄化装置の空気浄化効率を更に向上できる。
【００１８】
第３の発明では、吸着部材（31）から空気中へ脱離させた水を凝縮させ、この凝縮水中に多量の臭気成分を溶解／吸収させ、凝縮水中の臭気成分を水浄化手段（50）によって分解するようにしている。従って、本発明によれば、凝縮水中に多量の臭気成分を溶存させることができ、この臭気成分を水浄化手段（50）によって効果的に除去できる。その結果、空気浄化装置の空気浄化効率を更に向上させることができる。
【発明を実施するための最良の形態】
【００１９】
以下、本発明の実施形態を図面に基づいて詳細に説明する。
【００２０】
本実施形態に係る空気清浄機（10）は、室内の空気を浄化する空気浄化装置を構成している。また、空気清浄機（10）は、空気を加湿する加湿運転と空気を除湿する除湿運転とが可能な、調湿機能付きの空気清浄機である。
【００２１】
〈空気清浄機の全体構成〉
図１及び図２に示すように、空気清浄機（10）は、ケーシング（11）を有している。ケーシング（11）は、前後に扁平な矩形状に形成されている。ケーシング（11）には、その前側（図１における左側寄り）に前面パネル（11a）が形成されている。前面パネル（11a）には、空気をケーシング（11）内に導入するための吸込口（12）が形成されている（図２を参照）。吸込口（12）は、例えば前面パネル（11a）の左右側方にそれぞれ形成されている。また、ケーシング（11）には、その上部後方寄りの部位にケーシング（11）内の空気を吹き出すための吹出口（13）が形成されている。そして、ケーシング（11）の内部には、上記吸込口（12）から吹出口（13）に亘って空気が流通する空気通路（14）が形成されている。
【００２２】
図２に示すように、空気通路（14）には、空気の流れの上流側から下流側に向かって順に、プレフィルタ（21）、イオン化部（22）、プリーツフィルタ（23）、脱臭部材（24）、除湿ユニット（30）、及び加湿ユニット（40）、及び遠心ファン（17）が設けられている。
【００２３】
また、遠心ファン（17）の上方で且つ吹出口（13）の下側には、返送通路（15）の流入端が開口している。つまり、返送通路（15）には、空気通路（14）から吹出口（13）へ流出する空気の一部が分流する。返送通路（15）は、上記空気通路（14）と区画されるように前後に延びる空間を構成している。返送通路（15）の流出端は、上記プレフィルタ（21）の上流側と繋がっている。また、返送通路（15）の流出端近傍には、空気浄化用放電部（25）が形成されている。
【００２４】
図３に示すように、プレフィルタ（21）の前側には、上記返送通路（15）と連通する案内通路（16）が形成されている。案内通路（16）は、例えば上記前面パネル（11a）の背面側に形成される仕切部材等によって区画形成されている。案内通路（16）は、返送通路（15）を流出した空気をプレフィルタ（21）の幅方向の中間部まで案内し、この空気を左右側方に流出させてプレフィルタ（21）側へ送るように構成されている（図３の矢印を参照）。以上のように、本実施形態の空気清浄機（10）は、空気通路（14）の流出側の空気の一部を上記空気浄化用放電部（25）を通じて空気通路（14）の流入側へ返送するように構成されている。
【００２５】
また、図２に示すように、ケーシング（11）の前面パネル（11a）側には、室内の湿度を検出するための湿度センサ（19）が設けられている。湿度センサ（19）は、室内空気の絶対湿度又は相対湿度を検出する湿度検出手段を構成している。また、ケーシング（11）内には、湿度センサ（19）の検出湿度に基づいて、詳細は後述する除湿運転と加湿運転とを切り換える制御手段（図示省略）が設けられている。
【００２６】
〈空気浄化手段の構成〉
図２に示すように、空気清浄機（10）は、空気を浄化するための空気浄化手段（20）として、上述したプレフィルタ（21）、イオン化部（22）、プリーツフィルタ（23）、脱臭部材（24）、及び空気浄化用放電部（25）を有している。
【００２７】
プレフィルタ（21）は、空気中に含まれる比較的大きな塵埃を物理的に捕捉する集塵用のフィルタを構成している。
【００２８】
イオン化部（22）は、空気中の塵埃を帯電させる塵埃荷電手段を構成している。イオン化部（22）には、例えば線状の電極と、この線状の電極に対向する板状の電極とが設けられている。イオン化部（22）では、両者の電極に電源（18）から電圧が印加されることで、両電極の間でコロナ放電が行われる。このコロナ放電により、空気中の塵埃が所定の電荷（正又は負の電荷）に帯電される。
【００２９】
プリーツフィルタ（23）は、波板状の静電フィルタを構成している。つまり、プリーツフィルタ（23）では、上記イオン化部（22）で帯電された塵埃が電気的に誘引されて捕捉される。なお、プリーツフィルタ（23）に光触媒等の脱臭用の材料を担持させても良い。
【００３０】
脱臭部材（24）は、ハニカム構造の基材の表面に空気を脱臭するための脱臭剤が担持されて構成されている。脱臭剤は、空気中の被処理成分（臭気成分（更には有害成分））を吸着する吸着剤や、該被処理成分を酸化分解するための触媒等が用いられる。
【００３１】
空気浄化用放電部（25）では、空気を浄化するためにストリーマ放電が行われる。空気浄化用放電部（25）には、棒状あるいは線状の電極（26）と、平板状の電極（27）とが設けられている。両者の電極（26,27）は、互いに平行に配置されている。電源（18）から両電極（26,27）に電圧が印加されると、棒状の電極（26）の先端から平板状の電極（27）に向かってストリーマ放電が生起される。このストリーマ放電により、空気中には活性種（ラジカル、オゾン、高速電子、励起分子等）が発生する。この活性種が空気中の被処理成分と反応することで、この被処理成分が酸化分解されて除去される。
【００３２】
〈除湿ユニットの構成〉
図４に示すように、除湿ユニット（30）は、除湿ロータ（31）とカバー部材（32）と循環ファン（33）とヒータ（34）とを備えている。除湿ユニット（30）は、空気中の水分を捕捉する水捕捉手段であって、空気を除湿するための除湿手段も兼ねている。
【００３３】
除湿ロータ（31）は、空気中の水分を吸着する吸着部材であって、いわゆる回転式の吸着ロータを構成している。つまり、除湿ロータ（31）は、前後に空気が流通可能な円板状に形成され、その軸心の回転軸（31a）が所定の駆動源（図示省略）によって回転駆動されることで、回転軸（31a）と共に回転可能に構成されている。また、除湿ロータ（31）は、ハニカム構造の基材の表面に吸着剤が担持されて構成されている。上記吸着剤としては、粒状のゼオライト等、水分に対する吸着性能に優れた材料が用いられる。また、吸着剤を基材に担持させるためのバインダーとしては、変性ポリフェニレンエーテル、ポリスチレン、ＡＢＳ樹脂（アクリルニトリル−ブタジエン−スチレン共重合合成樹脂）等の熱可塑性樹脂が用いられる。
【００３４】
カバー部材（32）は、その内部に上記除湿ロータ（31）を保持している。具体的に、カバー部材（32）は、前後に扁平な略矩形状に形成され、その上部寄りに円形開口（32a）が形成されている。円形開口（32a）は、カバー部材（32）を前後に貫通しており、その内部に上記除湿ロータ（31）が回転自在に保持されている。これにより、空気通路（14）を流れる空気は、円形開口（32a）を介して除湿ロータ（31）を通過する。
【００３５】
また、カバー部材（32）には、除湿ロータ（31）の吸着剤を再生するための空気（再生用空気）が流れる循環通路（35）が形成されている。具体的に、カバー部材（32）には、除湿ロータ（31）の外回りに上記循環通路（35）が形成されており、この循環通路（35）に跨るように上記循環ファン（33）及びヒータ（34）が設けられている。更に詳細には、カバー部材（32）では、第１から第４までのカバー通路部（35a,35b,35c,35d）及び循環ファン（33）が閉ループ状に接続されることで、上記循環通路（35）が構成されている。
【００３６】
循環ファン（33）と第１カバー通路部（35a）とは、カバー部材（32）の上端部後側に形成されている。第１カバー通路部（35a）は、その流入端が循環ファン（33）の吹出側と連通している。また、第１カバー通路部（35a）の流出端部には、上記ヒータ（34）が収納されている。つまり、ヒータ（34）は、除湿ロータ（31）の後側に設けられている（図２を参照）。ヒータ（34）は、循環通路（35）における除湿ロータ（31）の上流側の空気を加熱する。即ち、ヒータ（34）は、除湿ロータ（31）を加熱して該除湿ロータ（31）から空気中へ水分を放出させる加熱部を構成している。
【００３７】
第２カバー通路部（35b）は、除湿ロータ（31）を挟んで上記第１カバー通路部（35a）と概ね反対側の部位に設けられている。第１カバー通路部（35a）と第２カバー通路部（35b）とは、除湿ロータ（31）を介して互いに連通している。また、第２カバー通路部（35b）は、その外形が扇状に形成され、除湿ロータ（31）の側面の約６分の１程度の部位を覆っている。
【００３８】
第３カバー通路部（35c）は、カバー部材（32）において、除湿ロータ（31）の下側略半分を囲むように形成されている。第３カバー通路部（35c）の流入端は、第２カバー通路部（35b）の下端部と接続している。また、第３カバー通路部（35c）の流出端は、第４カバー通路部（35d）を介して循環ファン（33）の吸込側と繋がっている。
【００３９】
第３カバー通路部（35c）には、前後に貫通する複数の連通穴部（37）が形成されている。各連通穴部（37）は、その通路断面が上下に縦長の略楕円状に形成され、空気通路（14）を流れる空気（被処理空気）が内部を流通可能に構成されている。また、複数の連通穴部（37）は、除湿ロータ（31）の径方向外側を囲むように配列されている。
【００４０】
第３カバー通路部（35c）では、上記の再生用空気と被処理空気とが熱交換することで、再生用空気中の水分が凝縮される（詳細は後述する）。つまり、第３カバー通路部（35c）は、除湿ロータ（31）から水分が放出された空気を冷却して凝縮水を生成させる凝縮部を構成している。なお、第３カバー通路部（35c）で凝縮した水は、図示しない流路を通じて後述する水タンク（41）へ回収される。
【００４１】
〈加湿ユニットの構成〉
図５に示すように、加湿ユニット（40）は、水を貯留するための水タンク（41）と、水タンク（41）の水を汲み上げる水車（42）と、水車（42）によって汲み上げられた水を空気中へ付与する加湿手段を構成する加湿ロータ（43）と、加湿ロータ（43）を回転駆動するための駆動モータ（44）とを備えている。
【００４２】
水タンク（41）は、上側が開口する横長の水容器を構成している。水タンク（41）は、ケーシング（11）内の下部の空間に設置され、ケーシング（11）の引出口（11b）を通じて出し入れ自在に構成されている（図１を参照）。これにより、ユーザー等は水タンク（41）内に加湿用の水を適宜補充することができる。また、上述のように水タンク（41）には、除湿ロータ（31）に捕捉された水が回収される。従って、水タンク（41）への加湿水の補充の頻度を低減できる。また、水タンク（41）の底面には、水車（42）を回転自在に保持するための軸受部材（41a）が立設している。
【００４３】
水車（42）は、前後に扁平な略円板状に形成され、その軸心部に回転軸（42a）が突設されている。回転軸（42a）は、上記軸受部材（41a）の上端に枢支されている。水車（42）は、水タンク（41）の加湿水中に一部（下端部を含む所定部位）が浸漬するように回転自在に設けられており、回転部材を構成している。
【００４４】
水車（42）には、その後側の側面（上記加湿ロータ（43）に面する側面）の軸周りに複数の凹部（42b）が形成されている。複数の凹部（42b）は、径方向外側に向かうに連れて幅が拡大されるような略台形形状の開口を有している。また、凹部（42b）の開口の周方向の幅は、該凹部（42b）の内部空間の周方向の幅よりも狭くなっている。更に、凹部（42b）の径方向内側の内壁は、開口端に向かうに連れて徐々に軸心側に近づくように傾斜している。各凹部（42b）は、水車（42）の径方向外側端部において周方向に等間隔で配列されている。回転動作中の水車（42）では、凹部（42b）が水タンク（41）の水中に浸漬する位置と、水中から引き出される位置とを交互に変位する。
【００４５】
また、水車（42）の後側の側面には、その軸心寄りの部位に歯車（42c）が一体的に形成されている。歯車（42c）は、後述する加湿ロータ（43）の従動歯車（43a）と噛み合うように構成されている。
【００４６】
加湿ロータ（43）は、環状の従動歯車（43a）と、この従動歯車（43a）に内嵌して保持される円板状の吸湿部材（43b）とを有している。吸湿部材（43b）は、吸水性を有する不織布によって構成されている。加湿ロータ（43）は、上記水タンク（41）の満水時の水位よりも高い位置において、回転軸を介して回転自在に保持されている。また、加湿ロータ（43）は、その下端を含む所定部位が上記水車（42）と実質的に接触するように配置されている。つまり、加湿ロータ（43）は、水車（42）の凹部（42b）と軸方向に一致する部位を有している。これにより、加湿ロータ（43）には、水車（42）の凹部（42b）によって汲み上げられた加湿水が吸湿部材（43b）に吸収される。
【００４７】
駆動モータ（44）は、駆動歯車（44a）を有している。駆動歯車（44a）は、ピニオン（45）を介して加湿ロータ（43）の従動歯車（43a）と歯合している。即ち、駆動モータ（44）が駆動歯車（44a）を回転駆動させると、ピニオン（45）及び従動歯車（43a）が回転し、更に従動歯車（43a）と歯合する水車（42）が回転する。
【００４８】
〈水浄化ユニットの構成〉
空気清浄機（10）は、上述した除湿ロータ（31）で捕捉された水を浄化するための水浄化ユニット（50）を更に備えている。図６に示すように、水浄化ユニット（50）は、水浄化用放電部（51）と、導入流路を構成する配管ユニット（60）とを有し、水浄化手段を構成している。
【００４９】
配管ユニット（60）は、流入側配管（61）と放電ユニット収容部（62）と流出側配管（63）とが順に接続されて構成されている。流入側配管（61）は、その流入端が上記空気通路（14）に開口しており、その流出端が放電ユニット収容部（62）内に連通している。流入側配管（61）は、水平な姿勢で保持されている。流出側配管（63）は、その流入端が上記放電ユニット収容部（62）に連通し、その流出端が水タンク（41）内に開口している。流出側配管（63）は、鉛直な姿勢となりながら、その流出端が水タンク（41）内の水位よりも低くなるように保持されている。そして、配管ユニット（60）では、流入側配管（61）、放電ユニット収容部（62）、及び流出側配管（63）の各内部空間が順に繋がることで、上記導入流路が形成されている。なお、配管ユニット（60）は、空気通路（14）を流れる空気の一部が分岐して導入されるように構成されている。
【００５０】
上記水浄化用放電部（51）は、放電ユニット収容部（62）内に配置されている。水浄化用放電部（51）は、放電に伴い配管ユニット（60）内で浄化成分としての活性種を発生させる放電部を構成している。水浄化用放電部（51）は、棒状電極（52）と平板電極（53）とを有している。棒状電極（52）は、基板（52a）に支持板（52b）を介して支持されている。棒状電極（52）は、細長い線状に形成され、略円形状の縦断面を有している。平板電極（53）は、棒状電極（52）と同一方向に延びる平板状に形成されている。棒状電極（52）と平板電極（53）とは、互いに平行な姿勢となっており、棒状電極（52）の先端が平板電極（53）と対向している。
【００５１】
棒状電極（52）は上記電源（18）の正極側に接続され、平板電極（53）は上記電源（18）の負極側（又はアース側）に接続されている。電源（18）から両者の電極（52,53）に電位差が付与されると、棒状電極（52）の先端から平板電極（53）に向かってストリーマ放電が生起する。その結果、水浄化用放電部（51）では、ストリーマ放電に伴う活性種（ラジカル、オゾン、高速電子、励起分子等）が発生し、この活性種が空気中へ付与される。なお、電源（18）から水浄化用放電部（51）へは、直流の高圧電圧が供給されることが好ましく、更には水浄化用放電部（51）の放電電流が一定となるような、いわゆる定電流制御を行うことが好ましい。
【００５２】
−運転動作−
本実施形態に係る空気清浄機（10）は、室内を除湿する除湿運転と、室内を加湿する加湿運転とを切り換えて行う。また、除湿運転や加湿運転では、上述した各種の空気浄化手段（20）によって空気の浄化が同時に行われる。
【００５３】
〈除湿運転〉
除湿運転では、除湿ロータ（31）が回転すると共に、ヒータ（34）が通電状態となる。一方、加湿ロータ（43）は回転駆動されず、よって加湿ロータ（43）に連動して回転する水車（42）も停止状態となる。また、遠心ファン（17）が運転されることで、室内の空気が吸込口（12）を通じて空気通路（14）内に導入され、循環ファン（33）が運転されることで循環通路（35）内を再生用空気が循環する。更に、電源（18）からは、空気浄化用放電部（25）の電極（26,27）に高圧の電圧が印加される。更に、電源（18）からは、イオン化部（22）の電極に電圧が印加される。
【００５４】
図２に示すように、空気通路（14）に流入した空気は、プレフィルタ（21）を通過して塵埃が捕捉された後、イオン化部（22）を通過する。イオン化部（22）では、電極間でコロナ放電が行われており、空気中の塵埃が帯電される。イオン化部（22）を流出した空気は、プリーツフィルタ（23）を通過する。プリーツフィルタ（23）では、帯電した塵埃が電気的に誘引されて捕捉される。プリーツフィルタ（23）を流出した空気は、脱臭部材（24）を通過する。脱臭部材（24）では、空気中に含まれる被処理成分が吸着剤に吸着され、あるいは触媒によって酸化分解される。
【００５５】
ところで、空気通路（14）の流出端部では、遠心ファン（17）の吹出側（陽圧側）の空気の一部が返送通路（15）に流入している。返送通路（15）を流れる空気は、前方に送られて空気浄化用放電部（25）を流れる。空気浄化用放電部（25）では、互いに対向する電極（26,27）の間でストリーマ放電が行われている。その結果、空気浄化用放電部（25）では、ストリーマ放電に伴い上述の活性種が発生する。この活性種を含んだ空気は、返送通路（15）及び案内通路（16）を通じて、プレフィルタ（21）の上流側を流れる空気と合流する。従って、空気通路（14）では、その流入端から流出端に亘って上記活性種が流れることになり、空気中の被処理成分と活性種との反応時間が確保されて脱臭性能が向上する。
【００５６】
除湿運転時には、脱臭部材（24）を通過した空気が、除湿ロータ（31）を通過する。除湿ロータ（31）では、空気中に含まれる水分が吸着剤に吸着され、この空気が除湿される。また、除湿ロータ（31）では、空気中に含まれる臭気成分も吸着剤に吸着される。更に、この臭気成分（特に親水性の臭気成分）は、吸着剤に吸着された水分に溶解／吸収される。除湿ロータ（31）で除湿及び更なる脱臭が行われた空気は、吹出口（13）を通じて室内へ供給される。
【００５７】
一方、順次回転する除湿ロータ（31）では、空気の水分が吸着され、且つ臭気成分が捕捉された部位（吸湿部位）が循環通路（35）内に臨む位置まで変位する。ここで、循環通路（35）では、循環ファン（33）から吹き出された空気が、第１カバー通路部（35a）を流出してヒータ（34）に加熱される。そして、加熱後の空気が除湿ロータ（31）の上記吸湿部位を通過する。その結果、吸湿部位の吸着剤が加熱され、吸着剤から水分が脱離（脱着）する。また、吸着剤からは臭気成分も同時に脱離する。除湿ロータ（31）の吸着剤の再生に利用され、高湿となった空気は、第２カバー通路部（35b）を介して第３カバー通路部（35c）に流入する。
【００５８】
第３カバー通路部（35c）では、空気通路（14）側の空気が各連通穴部（37）を流通している。従って、循環通路（35）側の再生用空気は、連通穴部（37）の側壁を介して空気通路（14）側の被処理空気と熱交換する。ここで、再生用空気は被処理空気と比較して高温であり、且つ飽和状態に近い水分を含んでいる。その結果、第３カバー通路部（35c）では、再生用空気が冷却されると共に、この空気中に含まれる水蒸気が凝縮して凝縮水が生成される。そして、この凝縮水には、再生用空気中に含まれる臭気成分が溶解／吸収される。以上のようにして臭気成分が溶存する状態の凝縮水は、第３カバー通路部（35c）より所定の流路を流下して水タンク（41）に回収される。また、第３カバー通路部（35c）で低湿となった空気は、第４カバー通路部（35d）を介して循環ファン（33）に吸い込まれ、再び第１カバー通路部（35a）に送られて除湿ロータ（31）の吸着剤の再生に利用される。
【００５９】
一方、除湿運転時において、水タンク（41）へ回収された水中に含まれる臭気成分は、水浄化ユニット（50）によって分解される。具体的には、図６に示すように、水浄化ユニット（50）では、配管ユニット（60）内へ空気が導入される。また、電源（18）から水浄化用放電部（51）へ電圧が印加される。その結果、水浄化用放電部（51）では、上記ストリーマ放電が行われ、放電ユニット収容部（62）内で活性種が発生する。この活性種は、放電ユニット収容部（62）を流れる空気と共に流出側配管（63）へ流出する。その結果、水タンク（41）内には、活性種を含む空気が気泡となって水中へ供給される。
【００６０】
水タンク（41）内では、水中に溶存する臭気成分と上記活性種とが反応し、これにより臭気成分が酸化分解されて除去される。その結果、水タンク（41）内の水の清浄度が向上する。以上のように、被処理空気中に含まれる臭気成分（特に親水性の臭気成分）は、除湿ユニット（30）で捕捉された水に溶解／吸収されて水タンク（41）内に回収され、その後に活性種により分解される。従って、除湿運転時には、空気清浄機（10）による空気浄化効率が向上することになる。
【００６１】
〈加湿運転〉
空気清浄機（10）の加湿運転では、上述した除湿運転時に水タンク（41）へ回収された水が、空気を加湿するための加湿水として利用される。換言すると、水タンク（41）は、除湿運転時に除湿ロータ（31）で捕捉した水を回収するための水容器と、加湿運転時に加湿水として利用される水を回収するための水容器との双方に兼用される。加湿運転では、駆動モータ（44）によって加湿ロータ（43）及び水車（42）が回転駆動される。一方、除湿ロータ（31）は回転駆動されず、ヒータ（34）及び循環ファン（33）は停止状態となる。また、遠心ファン（17）が運転されることで、室内の空気が吸込口（12）を通じて空気通路（14）内に導入されると共に、電源（18）からは空気浄化用放電部（25）及びイオン化部（22）の各電極へ電圧が印加される。
【００６２】
図２に示すように、空気通路（14）に流入した空気は、上記加湿運転と同様に、各種の空気浄化手段（20）によって清浄化される。清浄化された空気は、実質的に除湿動作を行わない除湿ロータ（31）を通過した後、加湿ロータ（43）へ流入する。
【００６３】
ここで、加湿ユニット（40）では、水車（42）が回転することで、水タンク（41）内の加湿水が加湿ロータ（43）の吸湿部材（43b）に適宜供給される。具体的に、水車（42）では、水タンク（41）に貯留された加湿水中に凹部（42b）が浸漬する。これにより、加湿水中では、凹部（42b）内に加湿水が侵入して保持される。加湿水を保持した状態の凹部（42b）は、加湿水中から引き上げられて更に上方へ変位する。この凹部（42b）が加湿ロータ（43）に徐々に近接していくと、凹部（42b）内に保持された加湿水も自重により徐々に凹部（42b）内から流出する。そして、凹部（42b）が最上端位置に変位する際には、凹部（42b）内の加湿水が概ね全量流出することになる。
【００６４】
凹部（42b）から流出した加湿水は、該凹部（42b）と近接する加湿ロータ（43）と接触し、吸湿部材（43b）に吸収される。このような動作により、加湿ユニット（40）では、加湿ロータ（43）に連続的に加湿水が供給される。
【００６５】
加湿ロータ（43）では、水分が補給された部位を空気が流通する。その結果、吸湿部材（43b）に含まれた加湿水が空気中へ放出され、これにより空気の加湿が行われる。以上のようにして清浄化及び加湿された空気は、吹出口（13）を通じて室内へ供給される。
【００６６】
〈自動運転モード〉
空気清浄機（10）では、上述した除湿運転と加湿運転とを自動的に変更する自動運転モードも可能となっている。この自動運転モードでは、湿度センサ（19）で検出した室内空気の湿度に基づいて除湿運転と加湿運転とが自動的に切り換えられる。
【００６７】
具体的に、自動運転モード時において、湿度センサ（19）で検出した湿度が目標湿度（例えばユーザーが設定する設定湿度）よりも高い場合、上記除湿運転が行われる。その結果、上述の如く除湿ユニット（30）で空気が除湿され、室内の湿度が目標湿度へと収束していく。また、この際、除湿ロータ（31）で捕捉された水は、水タンク（41）へ回収される。
【００６８】
一方、自動運転モード時において、湿度センサ（19）で検出した湿度が目標湿度以下である場合、上記加湿運転が行われる。その結果、上述の如く加湿ユニット（40）で空気が加湿され、室内の湿度が目標湿度へと収束していく。
【００６９】
−実施形態の効果−
上記実施形態では、除湿運転時において、空気浄化ユニット（20）による空気の浄化に加えて、除湿ユニット（30）で空気中の水分を捕捉すると共に、捕捉された水中に溶解／吸収された臭気成分を水浄化ユニット（50）で分解／除去するようにしている。即ち、本発明では、空気浄化ユニット（20）による臭気成分の浄化と、水浄化ユニット（50）による臭気成分の浄化との双方を行うようにしている。従って、空気清浄機（10）の空気浄化効率を向上できる。特に、水浄化ユニット（50）では、水中に溶解し易い親水性の臭気成分を選択的に除去することができる。また、このように除湿ユニット（30）で捕捉した水を浄化することで、水タンク（41）から臭気成分が再び遊離してしまうことを回避できる。
【００７０】
また、上記実施形態では、除湿運転時に水タンク（41）に回収した水を加湿運転時の加湿水として利用している。ここで、水タンク（41）内の水は、水浄化ユニット（50）によって浄化されているので、加湿運転時には清浄な加湿水を空気中へ付与することができる。従って、加湿運転時において、加湿水によって室内の清浄度が損なわれてしまうことを回避できる。
【００７１】
また、水浄化ユニット（50）の水浄化用放電部（51）では、電力消費が比較的小さく活性種を高密度に発生できるストリーマ放電を行うようにしている。従って、空気清浄機（10）の省エネ性を確保しながら、水タンク（41）に回収される水を高効率に浄化することができる。
【００７２】
−実施形態の変形例−
上記実施形態において、除湿ユニット（30）から水タンク（41）へ回収される水を浄化する水浄化ユニット（50）として、以下のような各変形例の構成を採用することもできる。
【００７３】
〈参考例１〉
図６に示す上記実施形態の水浄化ユニット（50）では、水浄化用放電部（51）でストリーマ放電を行うことで、空気中へ活性種を付与するようにしている。しかしながら、水浄化用放電部（51）においては、例えば沿面放電やコロナ放電等の他の放電により浄化成分としての活性種を発生するようにしても良い。また、水浄化用放電部（51）を水タンク（41）内に設け、放電に伴う活性種を水タンク（41）内で発生させるようにしても良い。
【００７４】
〈参考例２〉
図７に示す水浄化ユニット（50）は、上記水浄化用放電部（51）に代わって光触媒部材（70）を用いるものである。光触媒部材（70）は、基材の表面に例えば二酸化チタン等の光触媒が担持されて構成されている。光触媒部材（70）は、水タンク（41）内に配置されて水中に浸漬している。また、参考例２の水浄化ユニット（50）には、光触媒部材（70）と対向するように紫外線ランプ（71）が設けられている。紫外線ランプ（71）は、光触媒部材（70）に向かって紫外線を照射するように構成され、例えば水タンク（41）のカバー（72）の下面に保持されている。
【００７５】
参考例２では、紫外線ランプ（71）による紫外線の照射環境下において、光触媒部材（70）からＯＨラジカルやＨ２Ｏ２等の活性種（浄化成分）が発生する。この活性種により、水タンク（41）の水中に溶存する臭気成分が分解除去される。
【００７６】
また、このような光触媒部材（70）を上記実施形態の配管ユニット（60）内に配置するようにしても良い。この場合には、光触媒部材（70）から発生した活性種を空気と共に水タンク（41）内に送ることで、水タンク（41）内の水中の臭気成分を浄化することができる。
【００７７】
以上の実施形態は、本質的に好ましい例示であって、本発明、その適用物、あるいはその用途の範囲を制限することを意図するものではない。
【産業上の利用可能性】
【００７８】
以上説明したように、本発明は、空気を浄化する空気浄化装置について有用である。
【図面の簡単な説明】
【００７９】
【図１】図１は、実施形態に係る空気清浄機の全体構成を示す斜視図であり、水タンクをケーシングから引き出した状態を示すものである。
【図２】図２は、空気清浄機の内部を表した概略の縦断面図である。
【図３】図３は、空気清浄機の前側寄りの内部を表した概略の縦断面図である。
【図４】図４は、除湿ユニットの斜視図である。
【図５】図５は、加湿ユニットの斜視図である。
【図６】図６は、水浄化ユニットの概略の構成を模式的に表した図である。
【図７】図７は、参考例２の水浄化ユニットの概略の構成を模式的に表した図である。
【符号の説明】
【００８０】
30    除湿ユニット（水捕捉手段）
31    除湿ロータ（吸着部材）
34    ヒータ（加熱部）
35c   第３カバー通路部（凝縮部）
41    水タンク（水容器）
50    水浄化ユニット（水浄化手段）
51    水浄化用放電部（放電部）
【図１】
0004656137.tif 000002
【図２】
0004656137.tif 000003
【図３】
0004656137.tif 000004
【図４】
0004656137.tif 000005
【図５】
0004656137.tif 000006
【図６】
0004656137.tif 000007
【図７】
0004656137.tif 000008